(57)【特許請求の範囲】
【請求項１】
セメント及び補強繊維を主成分とするセメント組成物を水に分散して得られる固形分濃度２５〜６５％の比較的高濃度若しくは高濃度のスラリーを周回移動する透水性シート上に供給し、透水性シートで搬送しながらスラリーを、レべリングゾーンにおいて表面側から振動を加えレべリングした後、次いでサクションゾーンにおいて脱水し、シート状の繊維補強セメント板を抄造する際に、レべリングゾーンとサクションゾーンとの間の透水性シート裏面側に洗浄手段を設け、透水性シートの裏面を洗浄することを特徴とする繊維補強セメント板のフローオン抄造における透水性シート裏面の洗浄方法。
【請求項２】
洗浄手段は、透水性シート横幅方向への洗浄水の供給が可能とされた洗浄管と、この洗浄管より上方に立設された複数の洗浄ノズルとを備え、その洗浄ノズルから洗浄水を透水性シートの裏面に噴射して洗浄する請求項１記載の繊維補強セメント板のフローオン抄造における透水性シート裏面の洗浄方法。
【請求項３】
洗浄手段は、透水性シートの移動方向に２以上の複数機の並設とされている請求項２記載の繊維補強セメント板のフローオン抄造における透水性シート裏面の洗浄方法。
【請求項４】
洗浄手段は、透水性シート横幅方向への洗浄水の供給が可能とされるとともに、洗浄水のオーバーフローも可能とされたオーバーフロー槽を備え、このオーバーフロー槽より洗浄水をオーバーフローさせて透水性シートの裏面を洗浄する請求項１記載の繊維補強セメント板のフローオン抄造における透水性シート裏面の洗浄方法。
【請求項５】
オーバーフロー槽には、透水性シートの裏面に接触可能な掻き落とし手段が上部に設けられ、レべリングにより透水性シート裏面側に排出される排出液中の固形分をその掻き落とし手段により掻き落とす請求項４記載の繊維補強セメント板のフローオン抄造における透水性シート裏面の洗浄方法。
【請求項６】
オーバーフロー槽は、平面視扇状の形状を有し、扇の要に相当する部位から洗浄水が供給される請求項４又は５記載の繊維補強セメント板のフローオン抄造における透水性シート裏面の洗浄方法。
【請求項７】
平面視扇状の形状を有するオーバーフロー槽は、透水性シートの移動方向に２以上の複数が、扇の要に相当する部位を互いに逆位置として隣接配置され、かつ洗浄水の供給方向が相互間で逆向きとされている請求項６記載の繊維補強セメント板のフローオン抄造における透水性シート裏面の洗浄方法。
【請求項８】
オーバーフロー槽は、平面視長方形の形状を有する請求項４又は５記載の繊維補強セメント板のフローオン抄造における透水性シート裏面の洗浄方法。
【請求項９】
平面視長方形の形状を有するオーバーフロー槽は、透水性シートの移動方向に２以上の複数が隣接配置され、かつ洗浄水の供給方向が相互間で逆向きとされている請求項８記載の繊維補強セメント板のフローオン抄造における透水性シート裏面の洗浄方法。
【請求項１０】
平面視長方形の形状を有するオーバーフロー槽には、洗浄水の流れに不均一が生じやすい部位に水打ち手段が設けられている請求項８又は９記載の繊維補強セメント板のフローオン抄造における透水性シート裏面の洗浄方法。
【請求項１１】
オーバーフロー槽には、ここに貯留される洗浄水を攪拌する攪拌手段が底部に設けられている請求項４乃至１０いずれかに記載の繊維補強セメント板のフローオン抄造における透水性シート裏面の洗浄方法。
【請求項１２】
攪拌手段は、左右に摺動可能な攪拌棒である請求項１１記載の繊維補強セメント板のフローオン抄造における透水性シート裏面の洗浄方法。
【請求項１３】
攪拌手段は振動手段である請求項１１記載の繊維補強セメント板のフローオン抄造における透水性シート裏面の洗浄方法。
【請求項１４】
オーバーフロー槽の内底面に離型シートが配設されている請求項４乃至１０いずれかに記載の繊維補強セメント板のフローオン抄造における透水性シート裏面の洗浄方法。
【発明の詳細な説明】
【０００１】
【発明の属する技術分野】
この出願の発明は、繊維補強セメント板のフローオン抄造における透水性シート裏面の洗浄方法に関するものである。さらに詳しくは、この出願の発明は、スラリーの搬送及び脱水に用いられる透水性シートの摩耗を軽減させ、その耐久性の向上を図るとともに、サクションゾーンのメンテナンス性を高めることもできる繊維補強セメント板のフローオン抄造における透水性シート裏面の洗浄方法に関するものである。
【０００２】
【従来の技術】
外壁材、屋根材等の外装材には、繊維補強セメント板が広く用いられている。この繊維補強セメント板の製造技術として、たとえば図６に示したフローオン抄造方法が知られている。
【０００３】
すなわち、セメント、及びパルプや、ビニロン、ポリプロピレンなどの化学繊維などの補強繊維を主成分とし、これにシリカや各種添加成分が適宜配合されたセメント組成物を水に分散し、固形分濃度２５〜６５％程度に調製された比較的高濃度若しくは高濃度のスラリーを、フローボックス（１）から透水性シート（２）上に供給する。透水性シート（２）は、たとえば織布又はフェルトなどの不織布からなり、透水性を有しており、また、透水性シート（２）は、無端状の連続体に形成され、駆動ロール（３）及び従動ロール（４）に懸架されて周回移動する。
【０００４】
透水性シート（２）上に供給されたスラリーは、その厚み分布を解消するなどのため、モーターにより作動する振動板（５）などを備えたレべリングゾーン（６）において表面側から振動が加えられ、レべリングが行われ、次いで透水性シート（２）に搬送されながらサクションゾーン（７）に送られ、下方への減圧吸引により、透水性シート（２）を通じて脱水される。
【０００５】
これらのレべリング及び脱水を経てスラリーは、透水性シート（２）上で所定厚みで所定含水率のシート状の繊維補強セメント板に抄き上げられる。
【０００６】
なお、レべリングゾーン（６）におけるレべリングにより、過剰な固形分を高濃度に含む排出液が透水性シート（２）を通じてその裏面側に排出され、また、サクションゾーン（７）では、不要の水分が同じく透水性シート（２）の裏面側に排出されるため、これを円滑に除去し、また、排出物の再利用を図るために、図６に示したように、レべリングゾーン（６）には、透水性シート（２）の裏面側に自然脱水ボックス（８）が、サクションゾーン（７）にはサクションボックス（９）が一般に設けられる。
【０００７】
【発明が解決しようとする課題】
たとえば以上に示される繊維補強セメント板のフローオン抄造方法では、シート状の繊維補強セメント板の連続生産にともない、当然のことながら、透水性シート（２）に汚れが発生してくる。そこで、従来では、図６に示したように、シート状の繊維補強セメント板の抄き上げ後における透水性シート（２）の帰路に洗浄ゾーン（１０）を設け、透水性シート（２）の表面を洗浄水を吹き付けるなどして洗浄していた。
【０００８】
しかしながら、前述の通り、レべリングゾーン（６）におけるレべリングにより透水性シート（２）の裏面側に排出される排出液は、過剰な固形分の大半を含む高濃度の排出液であるため、排出される各種固形分は、サクションゾーン（７）の上部（具体的には、サクションボックス（９）の開口縁部）に堆積し、あるいは透水性シート（２）の裏面とサクションゾーン（７）の上部（サクションボックス（９）の開口縁部に相当）との間の隙間に入り込むことがしばしばあった。このように堆積し、あるいは透水性シート（２）裏面側の隙間に入り込む固形分は、透水性シート（２）が、前述の通り周回移動することから、砥粒として機能することとなり、透水性シート（２）の摩耗を促進させ、その寿命を短縮化させる原因となっている。また、上記固形分により、サクションゾーン（７）におけるサクション能力に次第に低下をきたし、サクションボックス（９）などのメンテナンスを頻繁に行う必要が生ずる。
【０００９】
この出願の発明は、以上の通りの事情に鑑みてなされたものであり、スラリーの搬送及び脱水に用いられる透水性シートの摩耗を軽減させ、その耐久性の向上を図るとともに、サクションゾーンのメンテナンス性を高めることもできる繊維補強セメント板のフローオン抄造における透水性シート裏面の洗浄方法を提供することを目的としている。
【００１０】
【課題を解決するための手段】
この出願の発明は、前述の課題を解決するものとして、セメント及び補強繊維を主成分とするセメント組成物を水に分散して得られる固形分濃度２５〜６５％の比較的高濃度若しくは高濃度のスラリーを周回移動する透水性シート上に供給し、透水性シートで搬送しながらスラリーを、レべリングゾーンにおいて表面側から振動を加えレべリングした後、次いでサクションゾーンにおいて脱水し、シート状の繊維補強セメント板を抄造する際に、レべリングゾーンとサクションゾーンとの間の透水性シート裏面側に洗浄手段を設け、透水性シートの裏面を洗浄することを特徴とする繊維補強セメント板のフローオン抄造における透水性シート裏面の洗浄方法（請求項１）を提供する。
【００１１】
またこの出願の発明は、請求項１に係る発明に関し、洗浄手段は、透水性シート横幅方向への洗浄水の供給が可能とされた洗浄管と、この洗浄管より上方に立設された複数の洗浄ノズルとを備え、その洗浄ノズルから洗浄水を透水性シートの裏面に噴射して洗浄すること（請求項２）を一態様として提供し、この請求項２に係る発明に関しては、洗浄手段は、透水性シートの移動方向に２以上の複数機の並設とされていること（請求項３）を一態様として提供する。
【００１２】
さらにこの出願の発明は、前記請求項１に係る発明に関し、洗浄手段は、透水性シート横幅方向への洗浄水の供給が可能とされるとともに、洗浄水のオーバーフローも可能とされたオーバーフロー槽を備え、このオーバーフロー槽より洗浄水をオーバーフローさせて透水性シートの裏面を洗浄すること（請求項４）を一態様として提供する。
【００１３】
さらにまたこの出願の発明は、請求項４に係る発明に関し、オーバーフロー槽には、透水性シートの裏面に接触可能な掻き落とし手段が上部に設けられ、レべリングにより透水性シート裏面側に排出される排出液中の固形分をその掻き落とし手段により掻き落とすこと（請求項５）、オーバーフロー槽は、平面視扇状の形状を有し、扇の要に相当する部位から洗浄水が供給されること（請求項６）、平面視扇状の形状を有するオーバーフロー槽は、透水性シートの移動方向に２以上の複数が、扇の要に相当する部位を互いに逆位置として隣接配置され、かつ洗浄水の供給方向が相互間で逆向きとされていること（請求項７）、オーバーフロー槽は、平面視長方形の形状を有すること（請求項８）、平面視長方形の形状を有するオーバーフロー槽は、透水性シートの移動方向に２以上の複数が隣接配置され、かつ洗浄水の供給方向が相互間で逆向きとされていること（請求項９）、平面視長方形の形状を有するオーバーフロー槽には、洗浄水の流れに不均一が生じやすい部位に水打ち手段が設けられていること（請求項１０）、オーバーフロー槽には、ここに貯留される洗浄水を攪拌する攪拌手段が底部に設けられていること（請求項１１）、攪拌手段は、左右に摺動可能な攪拌棒であること（請求項１２）、攪拌手段は振動手段であること（請求項１３）、オーバーフロー槽の内底面に離型シートが配設されていること（請求項１４）をそれぞれ一態様として提供する。
【００１４】
以下、実施例を示しつつ、図面に沿ってこの出願の発明の繊維補強セメント板のフローオン抄造における透水性シート裏面の洗浄方法についてさらに詳しく説明する。
【００１５】
【発明の実施の形態】
図１は、この出願の発明の繊維補強セメント板のフローオン抄造における透水性シート裏面の洗浄方法の概要を示した断面図である。
【００１６】
たとえばこの図１に示したように、この出願の発明は、図６に示した繊維補強セメント板のフローオン抄造方法を前提とした上で、レべリングゾーン（６）とサクションゾーン（７）との間の透水性シート（２）の裏面側に洗浄手段（１１）を設け、透水性シート（２）の裏面を洗浄することを特徴としている。
【００１７】
前述の通り、レべリングゾーン（６）におけるレべリングにより透水性シート（２）の裏面側に排出される排出液は、過剰な固形分の大半を含む高濃度の排出液であるが、洗浄手段（１１）による透水性シート（２）の裏面洗浄により、排出液の固形分濃度が低濃度となり、サクションゾーン（７）の上部（サクションボックス（９）の開口縁部に相当）に堆積し、あるいは透水性シート（２）の裏面とサクションゾーン（７）の上部（サクションボックス（９）の開口縁部に相当）との間の隙間に入り込む固形分を低減させることができる。したがって、レべリングゾーン（６）において排出される固形分による透水性シート（２）の摩耗が軽減され、その耐久性の向上が図られるのである。また、サクションゾーン（７）におけるサクション能力が持続し、メンテナンス性（具体的には、サクションボックス（９）のメンテナンス性）も向上する。
【００１８】
洗浄手段（１１）としては、たとえば図２に示したように、透水性シート（２）の横幅方向への洗浄水の供給が可能とされた洗浄管（１２）と、この洗浄管（１２）より上方に立設された複数の洗浄ノズル（１３）とを備えたものが例示される。
【００１９】
この洗浄管（１２）と洗浄ノズル（１３）とを備えた洗浄手段（１１）では、洗浄管（１２）に供給された洗浄水が、その水圧により洗浄ノズル（１３）から透水性シート（２）の裏面に向かって噴射し、洗浄することができる。このため、前述の通り、レべリングゾーン（６）において透水性シート（２）の裏面側に排出される排出液の固形分濃度は低下する。
【００２０】
この図２に示した洗浄手段（１１）の場合、透水性シート（２）の移動方向に２以上の複数機並設することにより、透水性シート（２）の裏面洗浄効果は増大する。レべリングゾーン（６）において排出される固形分による透水性シート（２）の摩耗がより軽減され、耐久性はより向上する。
【００２１】
なお、この出願の発明の繊維補強セメント板のフローオン抄造における透水性シート裏面の洗浄方法では、図２に示した洗浄手段（１１）を含め、後述する洗浄手段（１１）においても、透水性シート（２）の裏面洗浄用の洗浄水は、工業用水（通称、工水）や白水などとすることができ、低コスト化への配慮が可能である。
【００２２】
洗浄手段（１１）としては、図３に示したように、透水性シート（２）の横幅方向への洗浄水の供給が可能とされるとともに、洗浄水のオーバーフローも可能とされたオーバーフロー槽（１４）を備えたものも例示される。
【００２３】
このオーバーフロー槽（１４）を備えた洗浄手段（１１）では、オーバーフロー槽（１４）において洗浄水をオーバーフローさせて透水性シート（２）の裏面を洗浄することができる。この洗浄手段（１１）によっても、レべリングゾーン（６）において透水性シート（２）の裏面側に排出される排出液の固形分濃度は低下する。
【００２４】
オーバーフロー槽（１４）を備えた洗浄手段（１１）では、たとえばこの図３に示したように、透水性シート（２）の裏面に接触可能な掻き落とし手段（１５）をオーバーフロー槽（１４）の上部に設けることができる。掻き落とし手段（１５）は、たとえば線体、棒体、板体などとすることができ、透水性シート（２）の裏面への接触により、レべリングゾーン（６）におけるレべリングにともない透水性シート（２）の裏面側に排出される排出液中の固形分を掻き落とすことができ、図２に示した洗浄手段（１１）と同等の洗浄力を確保するのに有効となる。
【００２５】
このような洗浄手段（１１）では、オーバーフロー槽（１４）は、図３に示したように、平面視扇状の形状を有するものとし、扇の要に相当する部位から洗浄水を供給するのが好ましい。それというのも、平面視扇形の形状を有するオーバーフロー槽（１４）では、洗浄水が満遍なく満たされ、洗浄水の流れが均一化するからである。
【００２６】
さらに、平面視扇形の形状を有するオーバーフロー槽（１４）を備えた洗浄手段（１１）の場合には、オーバーフロー槽（１４）は、透水性シート（２）の移動方向に２以上の複数を、扇の要に相当する部位を互いに逆位置として隣接配置し、洗浄水の供給方向を相互間で逆向きとすることができる。こうすることにより、複数のオーバーフロー槽（１４）において洗浄水の流れに差が生じず、図２に示した洗浄手段（１１）を複数機並設する場合と同等の洗浄力を確保することができる。
【００２７】
なお、オーバーフロー槽（１４）を備えた洗浄手段（１１）の場合、オーバーフロー槽（１４）は、図４に示したような平面視長方形の形状を有するものとしても構わない。この場合にも、もちろん、前述の掻き落とし手段（１５）は配設可能であり、また、透水性シート（２）の移動方向に２以上の複数を隣接配置し、洗浄水の供給方向を相互間で逆向きとすることもできる。
【００２８】
一方、平面視長方形の形状を有するオーバーフロー槽（１４）では、一般に、洗浄水の流れが不均一になりやすい傾向がある。そこで、この出願の繊維補強セメント板のフローオン抄造における透水性シート裏面の洗浄方法では、洗浄手段（１１）に平面視長方形の形状を有するオーバーフロー槽（１４）を備える場合には、洗浄水の流れに不均一さが生じやすい部位（１６）に水打ち手段（１７）を設けることができる。この水打ち手段（１７）からは、洗浄水とほぼ同質若しくは同質の工水などをオーバーフロー槽（１４）に導入することができ、洗浄水の流れを均一化する。
【００２９】
また、オーバーフロー槽（１４）を備えた洗浄手段（１１）には、図５に示したように、オーバーフロー槽（１４）には、ここに貯留される洗浄水を攪拌する攪拌手段（１８）を底部に設けることができる。図５に示した洗浄手段（１１）は、図３に示した洗浄手段（１１）の基本構成を踏襲し、さらにオーバーフロー槽（１４）の底部に攪拌手段（１８）を設けたものである。
【００３０】
攪拌手段（１８）としては、特にその構成に制限はなく、たとえば図５に示したような図中矢印方向の左右に摺動可能な攪拌棒（１８ａ）とすることができる。この攪拌棒（１８ａ）を左右に摺動させる手段には、たとえば、シリンダーなどの駆動手段（１９）が適用可能である。
【００３１】
このような攪拌手段（１８）は、透水性シート（２）の裏面洗浄にともなってオーバーフロー槽（１４）内へ落下する固形分の堆積を解消し、洗浄水の流れを均一に保つ。つまり、攪拌手段（１８）によりオーバーフロー槽（１４）内の洗浄水が攪拌され、落下する固形分が堆積することなく、オーバーフローする洗浄水とともにオーバーフロー槽（１４）から排出されるのである。この攪拌手段（１８）は、前述の通り、オーバーフロー槽（１４）の底部に位置する。したがって、オーバーフロー槽（１４）の上部に位置する掻き落とし手段（１５）との相互干渉はなく、たとえば攪拌棒（１８ａ）の場合、その左右摺動が掻き落とし手段（１５）により妨げられることはない。
【００３２】
もちろん攪拌手段（１８）は、図４に示した平面視長方形の形状を有するオーバーフロー槽（１４）を備えた洗浄手段（１１）にも等しく適用することができ、水打ち手段（１７）と併用される。
【００３３】
攪拌手段（１８）は、また、振動板などの振動手段とすることもできる。振動手段の所定周期での振動により、透水性シート（２）の裏面洗浄にともないオーバーフロー槽（１４）内へ落下する固形分の堆積が解消され、オーバーフローする洗浄水とともにオーバーフロー槽（１４）から排出することができる。
【００３４】
さらにオーバーフロー槽（１４）を備えた洗浄手段（１１）の場合には、オーバーフロー槽（１４）内へ落下する固形分を内底面には付着させず、浮遊させて、オーバーフローする洗浄水とともにオーバーフロー槽（１４）から排出し、固形分の堆積量を減らすという攪拌手段（１８）と同様な機能を、攪拌手段（１８）を採用せずに実現することを目的として、オーバーフロー槽（１４）の内底面に離型シートを配設することもできる。
【００３５】
次にこの出願の発明の繊維補強セメント板のフローオン抄造における透水性シート裏面の洗浄方法の実施例及び比較例を示す。
【００３６】
【実施例】
（実施例１〜３、比較例１）
以上の図２（すなわち、洗浄管（１２）とこれに立設された複数の洗浄ノズル（１３）とを備え、かつ透水性シート（２）に移動方向に２機配設されている（実施例１））、図３（すなわち、平面視扇形のオーバーフロー槽（１４）が、透水性シート（２）の移動方向に２槽、扇の要に相当する部位を互いに逆位置として隣接配置されるとともに、洗浄水の供給方向が相互間で逆向きとされ、しかも上部に掻き落とし手段（１５）が設けられている（実施例２））、図５（すなわち、実施例２の洗浄手段（１１）に、さらに、左右摺動する攪拌棒（１８ａ）がオーバーフロー槽（１４）の底部に付設されている（実施例３））に示した洗浄手段（１１）によりサクションゾーン（７）に入る前に透水性シート（２）の裏面洗浄を行い、図６（比較例１）に示した従来例と比較した。
【００３７】
セメント組成物の組成及び配合は、普通ポルトランドセメント５０重量部、シリカ４０重量部、及びパルプ５重量とし、これを水に分散させ、固形分濃度４０％のスラリーに調製した。サクションゾーン（７）においては、真空度４０kPaでスラリーの減圧脱水を行った。
【００３８】
透水性シート（２）の洗浄性（短、長時間）、洗浄手段（１１）及びサクションボックス（９）のメンテナンス性、及び透水性シート（２）の寿命を定性的に評価した。その結果を示したのが表１である。
【００３９】
【表１】
0003723832.tif 000002
【００４０】
この表１に示した通り、洗浄手段（１１）による透水性シート（２）の裏面洗浄により、レべリングゾーン（６）におけるレべリングにより透水性シート（２）の裏面側に排出される排出液は、固形分濃度が低濃度となり、サクションゾーン（７）上部のサクションボックス（９）の開口縁部に堆積し、あるいは透水性シート（２）の裏面とサクションボックス（９）の開口縁部との間の隙間に入り込む固形分を低減させることができる。その結果、レべリングゾーン（６）において排出される固形分による透水性シート（２）の摩耗が軽減され、その耐久性の向上が可能なことが確認される。また、サクションゾーン（７）におけるサクション能力が持続し、サクションボックス（９）のメンテナンス性も向上することが確認される。
【００４１】
もちろん、この出願の発明は、以上の実施形態及び実施例によって限定されるものではない。セメント組成物の原料及びその配合、透水性シートの材質、洗浄手段の構成、そして、洗浄水の種類やフローオン抄造方法の細部などについては様々な態様が可能であることはいうまでもない。
【００４２】
【発明の効果】
以上詳しく説明した通り、この出願の発明によって、繊維補強セメント板をフローオン抄造する際にスラリーの搬送及び脱水に用いられる透水性シートの摩耗を軽減することができ、その耐久性は向上し、また、サクションゾーンのメンテナンス性が高まる。
【図面の簡単な説明】
【図１】この出願の発明の繊維補強セメント板のフローオン抄造における透水性シート裏面の洗浄方法の概要を示した断面図である。
【図２】この出願の発明の繊維補強セメント板のフローオン抄造における透水性シート裏面の洗浄方法における洗浄手段の一形態を示した断面図及び要部拡大斜視図である。
【図３】この出願の発明の繊維補強セメント板のフローオン抄造における透水性シート裏面の洗浄方法における洗浄手段の別の形態を示した断面図及び要部拡大平面図である。
【図４】図３に示した洗浄手段の別の形態を示した平面図である。
【図５】図３に示した洗浄手段の別の形態を示した断面図及び要部拡大平面図である。
【図６】繊維補強セメント板のフローオン抄造方法の概要を示した断面図である。
【符号の説明】
１    フローボックス
２    透水性シート
３    駆動ロール
４    従動ロール
５    振動板
６    レべリングゾーン
７    サクションゾーン
８    自然脱水ボックス
９    サクションボックス
１０    洗浄ゾーン
１１    洗浄手段
１２    洗浄管
１３    洗浄ノズル
１４    オーバーフロー槽
１５    掻き落とし手段
１６    洗浄水の流れに不均一さが生じやすい部位
１７    水打ち手段
１８    攪拌手段
１８ａ    攪拌棒
１９    駆動手段
【図１】
0003723832.tif 000003
【図２】
0003723832.tif 000004
【図３】
0003723832.tif 000005
【図４】
0003723832.tif 000006
【図５】
0003723832.tif 000007
【図６】
0003723832.tif 000008